【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
第１の天板と、
第１の天板の長さ寸法の半分以下の長さ寸法を有する一対の第２の天板と、
第２の天板を第１の天板の裏面の長さ方向の両端部に各々観音開き状に開閉可能に取り付ける蝶番と、
第１の天板の裏面の幅方向の両端部に設けられた一対の第１の枠部と、
第２の天板の裏面の幅方向の両端部の第１の枠部よりも内側部分に設けられた一対の第２の枠部と、
第２の天板又は第２の枠部の内面に取り付けられ且つ第２の天板の裏面に沿う折り畳み位置から前記裏面に対して略直角に起立する展開位置にかけて回動自在な脚部とを備えていることを特徴とする折り畳みテーブル。
【請求項２】
蝶番が第１、第２の天板ではなく第１、第２の枠部に取り付けられた請求項１記載の折り畳みテーブルにおいて、
蝶番は、第１の枠部の内面に取り付けられた第１の羽部と、
第２の枠部の外面に取り付けられた第２の羽部と、
第１、第２の羽部を回動自在に軸支する回動軸部とを有していることを特徴とする折り畳みテーブル。
【請求項３】
請求項２記載の折り畳みテーブルにおいて、
第１、第２の羽部の高さ寸法は第２の枠部の高さ寸法の略半分となっており、
第１、第２の羽部の少なくとも一方が、第１、第２の天板を閉じ合せた状態で、該第１、第２の羽部の下面同士が当接する程度の厚みを有していることを特徴とする折り畳みテーブル。
【請求項４】
請求項２又は３記載の折り畳みテーブルにおいて、
第１の天板の裏面の長さ方向の両端部に設けられた一対の第１の壁部と、
第２の天板の裏面の長さ方向の両端部のうち内側の端部に設けられた第２の壁部と、
第１の壁部と蝶番の第１の羽部とに取り付けられた略Ｌ字状の第１の補強部材と、
第２の壁部と第２の枠部の内面とに取り付けられた略Ｌ字状の第２の補強部材とを更に備えており、
第２の枠部が第１の補強部材の蝶番の第１の羽部に取り付けられた片部よりも内側に位置していることを特徴とする折り畳みテーブル。 
【請求項５】
第１の天板と、
第１の天板の長さ寸法の半分以下の長さ寸法を有する一対の第２の天板と、
第２の天板を第１の天板の裏面の長さ方向の両端部に各々観音開き状に開閉可能に取り付ける蝶番と、
第１の天板の裏面の幅方向の両端部に設けられた一対の第１の枠部と、
第２の天板の裏面の幅方向の両端部の第１の枠部よりも外側部分に設けられた一対の第２の枠部と、
第１の天板又は第１の枠部の内面に取り付けられ且つ第１の天板の裏面に沿う折り畳み位置から前記裏面に対して略直角に起立する展開位置にかけて回動自在な脚部とを備えていることを特徴とする折り畳みテーブル。 
【請求項６】
蝶番が第１、第２の天板ではなく第１、第２の枠部に取り付けられた請求項５記載の折り畳みテーブルにおいて、
蝶番は、第１の枠部の外面に取り付けられた第１の羽部と、
第２の枠部の内面に取り付けられた第２の羽部と、
第１、第２の羽部を回動自在に支持する回動軸部とを有していることを特徴とする折り畳みテーブル。
【請求項７】
請求項５記載の折り畳みテーブルにおいて、
第１、第２の羽部の高さ寸法は第１の枠部の高さ寸法の略半分となっており、
第１、第２の羽部の少なくとも一方が、第１、第２の天板を閉じ合せた状態で、該第１、第２の羽部の下面同士が当接する程度の厚みを有していることを特徴とする折り畳みテーブル。
【請求項８】
請求項６又は７記載の折り畳みテーブルにおいて、
第１の天板の裏面の長さ方向の両端部に設けられた一対の第１の壁部と、
第１の天板の裏面の長さ方向の両端部のうち内側の端部に設けられた第２の壁部と、
第１の壁部と第１の枠部の内面とに取り付けられた略Ｌ字状の第１の補強部材と、
第２の壁部と蝶番の第２の羽部とに取り付けられた略Ｌ字状の第２の補強部材とを更に備えており、
第１の枠部が第２の補強部材の蝶番の第２の羽部に取り付けられた片部よりも内側に位置していることを特徴とする折り畳みテーブル。
【請求項９】
請求項１、２、３、４、５、６、７、又は８記載の折り畳みテーブルにおいて、
第２の天板の裏面の幅方向の両端部及び長さ方向の外側端部に設けられたＵ字枠を備えており、
Ｕ字枠の両端部が前記第２の枠部をなしていることを特徴とする折り畳みテーブル。
【請求項１０】
請求項１記載の折り畳みテーブルにおいて、
第２の天板の裏面の幅方向の両端部及び長さ方向の外側端部に設けられたＵ字枠を備えており、
Ｕ字枠の両端部が前記第２の枠部をなしており、
脚部が、第２の天板又は第２の枠部の内面ではなく、Ｕ字枠の両端部の間の中間部に回動自在に取り付けられていることを特徴とする折り畳みテーブル。
【請求項１１】
第１の天板と、
第１の天板よりも長さ寸法が小さい第２の天板と、
第２の天板を第１の天板の裏面の長さ方向の一端部に開閉可能に取り付ける第１の蝶番と、
第１の天板の裏面の幅方向の両端部に設けられた一対の第１の枠部と、
第２の天板の裏面の幅方向の両端部の第１の枠部よりも内側部分に設けられた一対の第２の枠部と、
第１の脚部とを備えており、
第１の枠部は、長さ寸法が第２の枠部よりも大きくなっており且つ第１、第２の天板が閉じ合わされた状態で第２の枠部に対向する対向部分と第２の枠部に対向しない非対向部分とを有しており、
第１の脚部は、第１の天板の第２の枠部よりも内側部分又は第１の枠部の非対向部分の内面に取り付けられ且つ第１の天板の裏面に沿う折り畳み位置から前記裏面に対して略直角に起立する展開位置にかけて回動自在になっている
ことを特徴とする折り畳みテーブル。
【請求項１２】
請求項１１記載の折り畳みテーブルにおいて、
第２の天板又は第２の枠部の内面に取り付けられ且つ第２の天板の裏面に沿う折り畳み位置から前記裏面に対して略直角に起立する展開位置にかけて回動自在な第２の脚部を更に備えていることを特徴とする折り畳みテーブル。
【請求項１３】
第１の蝶番が第１、第２の天板ではなく第１、第２の枠部に取り付けられた請求項１１〜１２の何れかに記載の折り畳みテーブルにおいて、
第１の蝶番は、第１の枠部の内面に取り付けられた第１の羽部と、
第２の枠部の外面に取り付けられた第２の羽部と、
第１、第２の羽部を回動自在に軸支する回動軸部とを有していることを特徴とする折り畳みテーブル。
【請求項１４】
請求項１３記載の折り畳みテーブルにおいて、
第１、第２の羽部の高さ寸法は第２の枠部の高さ寸法の略半分となっており、
第１、第２の羽部の少なくとも一方が、第１、第２の天板を閉じ合せた状態で、該第１、第２の羽部の下面同士が当接する程度の厚みを有していることを特徴とする折り畳みテーブル。
【請求項１５】
請求項１１〜１４の何れかに記載の折り畳みテーブルにおいて、
第１の天板の裏面の長さ方向の他端部に取り付けられ、第１の枠部の間を連結する第１の連結部を更に備えており、
第１の脚部は、第１の天板の第２の枠部よりも内側部分又は第１の枠部の非対向部分の内面ではなく、第１の連結部に該第１の連結部に沿って折り畳み可能に取り付けられていることを特徴とする折り畳みテーブル。
【請求項１６】
請求項１２記載の折り畳みテーブルにおいて、
第２の天板の裏面に取り付けられ、第２の枠部の間を連結する第２の連結部を更に備えており、
第２の脚部は、第２の天板又は第２の枠部の内面ではなく、第２の連結部に該第２の連結部に沿って折り畳み可能に取り付けられていることを特徴とする折り畳みテーブル。
【請求項１７】
請求項１１〜１６の何れかに記載の折り畳みテーブルにおいて、
第３の天板と、
第３の天板よりも長さ寸法が小さい第４の天板と、
第１の天板の長さ方向の他端部と第３の天板の長さ方向の一端部と開閉自在に取り付ける第２の蝶番と、
第４の天板を第３の天板の裏面の長さ方向の他端部に開閉可能に取り付ける第３の蝶番と、
第３の天板の裏面の幅方向の両端部に設けられた一対の第３の枠部と、
第４の天板の裏面の幅方向の両端部の第３の枠部よりも内側部分に設けられた一対の第４の枠部と、
第３の脚部とを更に備えており、
第３の枠部は、長さ寸法が第４の枠部よりも大きくなっており、
第３の脚部は、第４の天板又は第４の枠部の内面に取り付けられ且つ第４の天板の裏面に沿う折り畳み位置から前記裏面に対して略直角に起立する展開位置にかけて回動自在になっていることを特徴とする折り畳みテーブル。
【請求項１８】
第２の蝶番が第１、第３の天板ではなく第１、第３の枠部に取り付けられた請求項１７記載の折り畳みテーブルにおいて、
第２の蝶番は、第１の枠部の内面に取り付けられた第１の羽部と、
第３の枠部の外面に取り付けられた第２の羽部と、
第１、第２の羽部を回動自在に軸支する回動軸部とを有していることを特徴とする折り畳みテーブル。
【請求項１９】
第３の蝶番が第３、第４の天板ではなく第３、第４の枠部に取り付けられた請求項１７又は１８記載の折り畳みテーブルにおいて、
第３の蝶番は、第１の枠部の内面に取り付けられた第１の羽部と、
第３の枠部の外面に取り付けられた第２の羽部と、
第１、第２の羽部を回動自在に軸支する回動軸部とを有していることを特徴とする折り畳みテーブル。
【請求項２０】
請求項１９記載の折り畳みテーブルにおいて、
第３の蝶番の第１、第２の羽部の高さ寸法は第４の枠部の高さ寸法の略半分となっており、
第３の蝶番の第１、第２の羽部の少なくとも一方が、第３、第４の天板を閉じ合せた状態で、該第１、第２の羽部の下面同士が当接する程度の厚みを有していることを特徴とする折り畳みテーブル。
【請求項２１】
請求項１７〜２０の何れかに記載の折り畳みテーブルにおいて、
第４の天板の裏面の長さ方向の他端部に取り付けられ、第４の枠部の間を連結する連結部を更に備えており、
第３の脚部は、第４の天板又は第４の枠部の内面ではなく、前記連結部に該連結部に沿って折り畳み可能に取り付けられていることを特徴とする折り畳みテーブル。
【手続補正２】
【補正対象書類名】明細書
【補正対象項目名】０００６
【補正方法】変更
【補正の内容】
【０００６】
上記課題を解決するために、本発明の第１の折り畳みテーブルは、第１の天板と、第１の天板の長さ寸法の半分以下の長さ寸法を有する一対の第２の天板と、第２の天板を第１の天板の裏面の長さ方向の両端部に各々観音開き状に開閉可能に取り付ける蝶番と、第１の天板の裏面の幅方向の両端部に設けられた一対の第１の枠部と、第２の天板の裏面の幅方向の両端部の第１の枠部よりも内側部分に設けられた一対の第２の枠部と、第２の天板又は第２の枠部の内面に取り付けられ且つ第２の天板の裏面に沿う折り畳み位置から前記裏面に対して略直角に起立する展開位置にかけて回動自在な脚部とを備えている。
【手続補正３】
【補正対象書類名】明細書
【補正対象項目名】０００７
【補正方法】変更
【補正の内容】
【０００７】
このような第１の折り畳みテーブルによる場合、第２の天板を第１の天板の裏面の長さ方向の両端部に各々閉じ合わせると、第２の枠部が第１の枠部の内側に位置する。しかも、脚部が第２の天板又は第２の枠部の内面に取り付けられているので、第１の枠部と干渉しない。すなわち、第２の天板を第１の天板の裏面の長さ方向の両端部に各々閉じ合せた状態で、前記第２の枠部及び脚部が第１の天板の裏面側の第１の枠部の間の空間に収容されるので、本テーブルの折り畳み状態における厚みを低減することができる。
【手続補正４】
【補正対象書類名】明細書
【補正対象項目名】００１０
【補正方法】変更
【補正の内容】
【００１０】
上記第１の折り畳みテーブルは、第１の天板の裏面の長さ方向の両端部に設けられた一対の第１の壁部と、第２の天板の裏面の長さ方向の両端部のうち内側の端部に設けられた第２の壁部と、第１の壁部と蝶番の第１の羽部とに取り付けられた略Ｌ字状の第１の補強部材と、第２の壁部と第２の枠部の内面とに取り付けられた略Ｌ字状の第２の補強部材とを更に備えている。第２の枠部が第１の補強部材の蝶番の第１の羽部に取り付けられた片部よりも内側に位置している。
【手続補正５】
【補正対象書類名】明細書
【補正対象項目名】００１１
【補正方法】変更
【補正の内容】
【００１１】
この場合、第１の補強部材が第１の壁部と蝶番の第１の羽部とに取り付けられ、第２の補強部材が第２の壁部と第２の枠部の内面とに取り付けられているので、蝶番の取り付け強度が向上する。
【手続補正６】
【補正対象書類名】明細書
【補正対象項目名】００１２
【補正方法】変更
【補正の内容】
【００１２】
本発明の第２の折り畳みテーブルは、第１の天板と、第１の天板の長さ寸法の半分以下の長さ寸法を有する一対の第２の天板と、第２の天板を第１の天板の裏面の長さ方向の両端部に各々観音開き状に開閉可能に取り付ける蝶番と、第１の天板の裏面の幅方向の両端部に設けられた一対の第１の枠部と、第２の天板の裏面の幅方向の両端部の第１の枠部よりも外側部分に設けられた一対の第２の枠部と、第１の天板又は第１の枠部の内面に取り付けられ且つ第１の天板の裏面に沿う折り畳み位置から前記裏面に対して略直角に起立する展開位置にかけて回動自在な脚部とを備えている。
【手続補正７】
【補正対象書類名】明細書
【補正対象項目名】００１３
【補正方法】変更
【補正の内容】
【００１３】
このような第２の折り畳みテーブルによる場合、第２の天板を第１の天板の裏面の長さ方向の両端部に各々閉じ合わせると、第１の枠部が第２の枠部の内側に位置する。しかも、脚部が第１の天板又は第１の枠部の内面に取り付けられているので、第２の枠部と干渉しない。すなわち、第２の天板を第１の天板の裏面の長さ方向の両端部に各々閉じ合せた状態で、前記第１の枠部及び脚部が第２の天板の裏面側の第２の枠部の間の空間に収容されるので、本テーブルの折り畳み状態における厚みを低減することができる。
【手続補正８】
【補正対象書類名】明細書
【補正対象項目名】００１６
【補正方法】変更
【補正の内容】
【００１６】
上記第２の折り畳みテーブルは、第１の天板の裏面の長さ方向の両端部に設けられた一対の第１の壁部と、第１の天板の裏面の長さ方向の両端部のうち内側の端部に設けられた第２の壁部と、第１の壁部と第１の枠部の内面とに取り付けられた略Ｌ字状の第１の補強部材と、第２の壁部と蝶番の第２の羽部とに取り付けられた略Ｌ字状の第２の補強部材とを更に備えた構成とすることができる。この場合、第１の枠部が第２の補強部材の蝶番の第２の羽部に取り付けられた片部よりも内側に位置している。
【手続補正９】
【補正対象書類名】明細書
【補正対象項目名】００１７
【補正方法】変更
【補正の内容】
【００１７】
この場合、第１の補強部材が第１の壁部と第１の枠部の内面とに取り付けられ、第２の補強部材が第２の壁部と蝶番の第２の羽部とに取り付けられているので、蝶番の取り付け強度が向上する。
【手続補正１０】
【補正対象書類名】明細書
【補正対象項目名】００２０
【補正方法】変更
【補正の内容】
【００２０】
本発明の第３の折り畳みテーブルは、第１の天板と、第１の天板よりも長さ寸法が小さい第２の天板と、第２の天板を第１の天板の裏面の長さ方向の一端部に開閉可能に取り付ける第１の蝶番と、第１の天板の裏面の幅方向の両端部に設けられた一対の第１の枠部と、第２の天板の裏面の幅方向の両端部の第１の枠部よりも内側部分に設けられた一対の第２の枠部と、第１の脚部とを備えている。第１の枠部は、長さ寸法が第２の枠部よりも大きくなっており且つ第１、第２の天板が閉じ合わされた状態で第２の枠部に対向する対向部分と第２の枠部に対向しない非対向部分とを有している。第１の脚部は、第１の天板の第２の枠部よりも内側部分又は第１の枠部の非対向部分の内面に取り付けられ且つ第１の天板の裏面に沿う折り畳み位置から前記裏面に対して略直角に起立する展開位置にかけて回動自在になっている。
前記第３の折り畳みテーブルは、第２の天板又は第２の枠部の内面に取り付けられ且つ第２の天板の裏面に沿う折り畳み位置から前記裏面に対して略直角に起立する展開位置にかけて回動自在な第２の脚部を更に備えた構成とすることが可能である。
【手続補正１１】
【補正対象書類名】明細書
【補正対象項目名】００２１
【補正方法】変更
【補正の内容】
【００２１】
このような第３の折り畳みテーブルによる場合、第２の天板を第１の天板の裏面に閉じ合わせると、第２の枠部が第１の枠部の内側に位置する。しかも、第１の脚部が第１の天板の第２の枠部よりも内側部分又は第１の枠部の非対向部分の内面に取り付けられているので、第１、第２の天板を閉じ合せた状態で、第１の脚部が第２、第１の枠部と干渉しない。すなわち、第２の天板を第１の天板の裏面に閉じ合せた状態で、前記第２の枠部及び第２の脚部が第１の天板の裏面側の第１の枠部の間の空間に収容され、第１の脚部が第２の天板の外側に配置されるので、本テーブルの折り畳み状態における厚みを低減することができる。
【手続補正１２】
【補正対象書類名】明細書
【補正対象項目名】００２７
【補正方法】変更
【補正の内容】
【００２７】
前記第３の折り畳みテーブルは、第３の天板と、第３の天板よりも長さ寸法が小さい第４の天板と、第１の天板の長さ方向の他端部と第３の天板の長さ方向の一端部と開閉自在に取り付ける第２の蝶番と、第４の天板を第３の天板の裏面の長さ方向の他端部に開閉可能に取り付ける第３の蝶番と、第３の天板の裏面の幅方向の両端部に設けられた一対の第３の枠部と、第４の天板の裏面の幅方向の両端部の第３の枠部よりも内側部分に設けられた一対の第４の枠部と、第３の脚部とを更に備えた構成とすることができる。この場合、前記第３の枠部は、長さ寸法が第４の枠部よりも大きくなっている。前記第３の脚部は、第４の天板又は第４の枠部の内面に取り付けられ且つ第４の天板の裏面に沿う折り畳み位置から前記裏面に対して略直角に起立する展開位置にかけて回動自在になっている。
【手続補正１３】
【補正対象書類名】明細書
【補正対象項目名】００４２
【補正方法】変更
【補正の内容】
【００４２】
各脚部５００は、図１、図３、図４、図５、図６及び図８に示すように、回動脚５１０と、この回動脚５１０に着脱自在に取り付けられる延長脚５２０とを有している。回動脚５１０は円筒状のポールである。この回動脚５１０が、両側テーブル２００の枠部本体２２２の端部２２２ａの内面に該両側テーブル２００の天板２１０の裏面に沿う折り畳み位置から前記裏面に対して略直角に起立する展開位置にかけて回動自在に取り付けられている。また、回動脚５１０の基端部と端部２２２ａとには懸架部材５１１が取り付けられている。この懸架部材５１１は回動自在に連結された２つの板状体で構成されている。回動脚５１０が折り畳み位置に位置しているときには、図４に示すように、前記板状体が互いに重なるように折り畳まれる。回動脚５１０が起立位置に位置しているときには、図１及び図３に示すように、前記板状体が一直線状になり、回動脚５１０の基端部と端部２２２ａとの間に懸架される。
【手続補正１４】
【補正対象書類名】明細書
【補正対象項目名】００６７
【補正方法】変更
【補正の内容】
【００６７】
回動脚７１０ａが折り畳み位置に位置しているときには、第１の懸架部材７１１ａの前記板状体が互いに重なるように折り畳まれ、第２の懸架部材７１２ａの回動板が天板２１０の裏面に沿って倒れる。一方、回動脚７１０ａが起立位置に位置しているときには、第１の懸架部材７１１ａの前記板状体が一直線状になって回動脚７１０ａの基端部と中間部１２２ｂ’’’との間に懸架され、第２の懸架部材７１２ａの回動板が起立して回動脚７１０ａの基端部と端部１２２ａ’’’との間に懸架される。なお、回動脚７１０ａ、第１の懸架部材７１１ａ及び第２の懸架部材７１２ａの回動板の取り付け領域が上記取り付けスペースα１となる。
【手続補正１５】
【補正対象書類名】明細書
【補正対象項目名】００７１
【補正方法】変更
【補正の内容】
【００７１】
このような折り畳みテーブルによる場合、第１のテーブル１００’’’の裏面側に第２のテーブル２００’’が閉じ合わされた状態で、第１の脚部７００ａが第２のテーブル２００’’の外側に配置され、第２のテーブル２００’’のＵ字枠２２０’’及び第２の脚部５００ｂ’’の回動脚５１０ｂ’’が第１のテーブル１００’’’の上記収容空間に収容されるので、第１の脚部７００ａがＵ字枠２２０’’の枠部本体２２２’’と、第２の脚部５００ｂ’’がＵ字枠１２０’’’の両端部１２２ａ’’’と干渉することがない。よって、本テーブルの折り畳み状態における厚みを低減することができる。しかも、第１の脚部７００ａが第１のテーブル１００’’’の中間部１２２ｂ’’’沿って折り畳に可能となっているため、第１のテーブル１００’’’を取り付けスペースα１分第２のテーブル２００’’よりも長くすれば足りる。すなわち、第１の脚部５００ａ’’が取り付けられている場合に比べて、第１のテーブル１００’’’の長さ寸法を小さくすることが可能になる。
【手続補正１６】
【補正対象書類名】明細書
【補正対象項目名】００８２
【補正方法】変更
【補正の内容】
【００８２】
また、回動脚７１０ａの基端部と壁部本体１３２ａとには第１の懸架部材７１１ａが取り付けられている。この第１の懸架部材７１１ａは回動自在に連結された２つの板状体で構成されている。回動脚７１０ａの基端部と枠部１２０ａの枠部本体１２２ａとには第２の懸架部材７１２ａが取り付けられている。第２の懸架部材７１２ａは、枠部本体１２２ａに取り付けられたＬ字板と、一端部が前記Ｌ字板に回動自在に取り付けられた回動板とを有する構成となっている。前記回動板の他端部は回動脚７１０ａの基端部に回動自在に取り付けられている。よって、回動脚７１０ａが折り畳み位置に位置しているときには、第１の懸架部材７１１ａの前記板状体が互いに重なるように折り畳まれ、第２の懸架部材７１２ａの回動板が天板２１０の裏面に沿って倒れる。一方、回動脚７１０ａが起立位置に位置しているときには、第１の懸架部材７１１ａの前記板状体が一直線状になって回動脚７１０ａの基端部と壁部本体１３２ａとの間に懸架され、第２の懸架部材７１２ａの回動板が起立して回動脚７１０ａの基端部と前記Ｌ字板との間に懸架される。
【手続補正１７】
【補正対象書類名】明細書
【補正対象項目名】００８４
【補正方法】変更
【補正の内容】
【００８４】
また、回動脚７１０ｂの基端部と中間部１２２ｂ２とには第１の懸架部材７１１ｂが取り付けられている。この第１の懸架部材７１１ｂは回動自在に連結された２つの板状体で構成されている。回動脚７１０ｂの基端部と端部１２２ｂ１とには第２の懸架部材７１２ｂが取り付けられている。第２の懸架部材７１２ｂは、端部１２２ｂ１に取り付けられたＬ字板と、一端部が前記Ｌ字板に回動自在に取り付けられた回動板とを有する構成となっている。前記回動板の他端部は回動脚７１０ｂの基端部に回動自在に取り付けられている。回動脚７１０ｂが折り畳み位置に位置しているときには、第１の懸架部材７１１ｂの前記板状体が互いに重なるように折り畳まれ、第２の懸架部材７１２ｂの回動板が天板２１０の裏面に沿って倒れる。一方、回動脚７１０ｂが起立位置に位置しているときには、第１の懸架部材７１１ｂの前記板状体が一直線状になって回動脚７１０ｂの基端部と中間部１２２ｂ２との間に懸架され、第２の懸架部材７１２ｂの回動板が起立して回動脚７１０ｂの基端部と前記Ｌ字板との間に懸架される。
【手続補正１８】
【補正対象書類名】明細書
【補正対象項目名】００８６
【補正方法】変更
【補正の内容】
【００８６】
また、回動脚７１０ｃの基端部と中間部１２２ｄ２とには第１の懸架部材７１１ｃが取り付けられている。この第１の懸架部材７１１ｃは回動自在に連結された２つの板状体で構成されている。回動脚７１０ｃの基端部と端部１２２ｄ１とには第２の懸架部材７１２ｃが取り付けられている。第２の懸架部材７１２ｃは、端部１２２ｄ１に取り付けられたＬ字板と、一端部が前記Ｌ字板に回動自在に取り付けられた回動板とを有する構成となっている。前記回動板の他端部は回動脚７１０ｃの基端部に回動自在に取り付けられている。よって、回動脚７１０ｃが折り畳み位置に位置しているときには、第１の懸架部材７１１ｃの前記板状体が互いに重なるように折り畳まれ、第２の懸架部材７１２ｃの回動板が天板２１０の裏面に沿って倒れる。一方、回動脚７１０ｃが起立位置に位置しているときには、第１の懸架部材７１１ｃの前記板状体が一直線状になって回動脚７１０ｃの基端部と中間部１２２ｄ２との間に懸架され、第２の懸架部材７１２ｃの回動板が起立して回動脚７１０ｃの基端部と前記Ｌ字板との間に懸架される。
【手続補正１９】
【補正対象書類名】明細書
【補正対象項目名】００９１
【補正方法】変更
【補正の内容】
【００９１】
このような折り畳みテーブルによる場合、第１のテーブル１００ａの裏面側に第２のテーブル１００ｂが閉じ合わされた状態で、第１の脚部７００ａが第２のテーブル１００ｂの外側に配置され、第２のテーブル１００ｂのＵ字枠１２０ｂ及び第２の脚部７００ｂの回動脚７１０ｂが第１のテーブル１００ａの上記収容空間に収容される。また、第３のテーブル１００ｃの裏面側に第４のテーブル１００ｄが閉じ合わされた状態で、第４のテーブル１００ｄのＵ字枠１２０ｄ及び第４の脚部７００ｄの回動脚７１０ｄが第３のテーブル１００ｃの上記収容空間に収容される。よって、本テーブルの折り畳み状態における厚みを２枚分低減することができる。しかも、第１の脚部７００ａがＵ字枠１２０ｂの枠部本体１２２ｂと、第２の脚部７００ｂが枠部１２０ａの枠部本体１２２ａと、第３の脚部７００ｃが枠部１２０ｃの枠部本体１２２ｃと干渉することがない。更に、第１の脚部７００ａが第１のテーブル１００ａの中間部１２２ａ２沿って折り畳に可能となっているため、第１のテーブル１００ａを取り付けスペースα分第２のテーブル１００ｂよりも長くすれば足りるので、第１のテーブル１００ａの長さ寸法を小さくすることが可能になっている。
【手続補正２０】
【補正対象書類名】明細書
【補正対象項目名】００９６
【補正方法】変更
【補正の内容】
【００９６】
上記実施例１では、脚部５００の回動脚５１０が端部２２２ａの内面に回動自在に取り付けられているとしたが、これに限定されるものではない。例えば、脚部が第２の天板２１０自体に回動自在に取り付けられていても良いし、Ｕ字枠２２０の中間部２２２ｂに回動自在に取り付けられていても良い。また、脚部５００は、回動脚５１０及び延長脚５２０を有する構成であるとしたが、第１の天板、第１の枠部の内面、第２の天板又は第２の枠部の内面に回動自在に取り付けられるものである限り任意に設計変更することが可能である。この点は、脚部５００’、５００ａ’’、５００ｂ’’、第１の脚部７００ａ、第２の脚部７００ｂ及び第３の脚部７００ｃについても同様である。なお、上記実施例において、脚部５００、５００’、５００ａ’’、５００ｂ’’、第１の脚部７００ａ、第２の脚部７００ｂ及び第３の脚部７００ｃを混在したり置換したりすることができる。